(57)【要約】      （修正有）【課題】ブラジャーのストラップを不要としてストラップの本数を減らし、更にブラジャー機能が充分発揮できるようにした女性用衣類を提供する。【解決手段】ブラジャー本体２に付けたフック３をフック掛け止めループに掛け止めることによってストラップを取り付けるようになしたブラジャー１と、ストラップで吊るし、肩を露出する形態の袖なしの女性衣類であるキャミソール４からなる。前記キャミソール４におけるストラップ６の端部が前記ブラジャー本体２のフック３に対向する状態においてキャミソール本体５にフック掛け止めループ６ａ，６ｂを設ける。該フック掛け止めループ６ａ，６ｂに、ストラップを外した状態のブラジャー本体２のフック３を掛け止める。もって着用時にこれらブラジャー１とキャミソール４とを一体かさせることができるようにする。【選択図】図１
0003143608.tif 000002
【実用新案登録請求の範囲】
【請求項１】
ブラジャー本体に付けたフックをフック掛け止めループに掛け止めることによってストラップを取り付けるようになしたブラジャーと、ストラップで吊るし、肩を露出する形態の袖なし女性用衣類とからなり、前記衣類におけるフック掛け止めループを、その端部が前記ブラジャー本体のフックと対向する状態において衣類本体に設け、該ストラップの端部の縫い付け位置における衣類本体又はストラップの縫い付け位置より延長した部分の端部にフック掛け止めループを設け、該フック掛け止めループを、ストラップを外した状態のブラジャー本体のフックに掛け止め、もって着用時にこれらブラジャーと衣類とを一体化させることができるようになしたことを特徴とする女性用衣類。
【請求項２】
前記衣類における衣類本体の脇の部分に、前記本体の脇布を挿通して保持するためのループを設けてなる請求項１記載の女性用衣類。
【請求項３】
衣類がキャミソール、カットソー、ワンピースのいずれかである請求項１又は２記載の女性衣類。
【考案の詳細な説明】
【技術分野】
【０００１】  本考案は女性用衣類に関し、更に詳細には着用時にブラジャーとキャミソール、カットソー、ワンピース等の衣類と一体化させることができるようになした女性用衣類に係わる。
【背景技術】
【０００２】  ストラップで吊るし、肩を露出する形態の袖なしの女性用衣類、例えばキャミソール、カットソー、ワンピース等を着用したときにおいては、下着であるブラジャーのストラップが見えることになるが、このことに対して着用している本人自身が羞恥心を覚えることがあり、またストラップが両肩に２本宛見えることは目障りであり、首筋や肩のラインをすっきりさせる上で好ましくない。【０００３】  また、ブラジャーは美しいバストのフォルム（寄せ胸）を作るための下着として着用するものであり、着用者のバストの大小や形に適合し、完全にフィットするものでなければ本来の機能を発揮させることができない。このためブラジャーはサイズの点において多種類のものが揃っている。そしてまた一方、前記の点を考慮してストラップのないストラップレスブラジャー、或いはブラジャー本体に設けたフック掛け止めループにフックを掛け止めることによってストラップを取り付けることができるようになし、言い換えるとストラップを外して着用することもなしたブラジャーも提供されているが、いずれも着用しているうちに次第にずり落ち易いという問題点があった。【０００４】  これらのことから、胸部にカップを組み付けてブラジャー機能を持たせたブラキャミ或いはキャミブラと称される衣類が提供されている（例えば、特許文献１参照）。ブラキャミ或いはキャミブラと称される衣類は、ブラジャーを別に着用しないで済む分これのストラップが外に見えないし、またストラップの本数を減らすことができるものの、サイズがＳ，Ｍ，Ｌといった大雑把なものでしかなく、したがってまたこれに組み付けたカップについても大小や形が細かに分かれているわけではない。したがって、ブラキャミ或いはキャミブラと称される衣類の場合、着用したときにそのカップがバストに完全にフィットすることがなく、ブラジャーとしての機能を充分に発揮させることができなかった。【０００５】
【特許文献１】第３０３９０９９号登録実用新案公報
【０００６】  上記の点に鑑み、本出願者がすでに実用新案３１３９３３９を取得している。
しかしながら、ブラジャーにフック掛け止めループを設け、キャミソールないしはカットソーのような衣類にフックを取り付けた場合、本ブラジャーを着用せず、重ね着などのような着方をする場合、衣類に取り付けられたフックは不必要なものであり、むしろ邪魔になるかと考えられる。加えて、すでに提供されている、ブラジャー本体にフック掛け止めループがあり、ストラップにフックのある、ストラップが外せる既存のブラジャーでも、場合によっては、そのフックと衣類のフック掛け止めループの位置が偶然にも合ってしまったがために代用できる可能性もあり、その場合、本ブラジャーの商品価値としての唯一性が著しく低下すると考えられる。【０００７】
【特許文献２】第３１３９３３９号登録実用新案公報
【考案の開示】
【考案が解決しようとする課題】
【０００８】  本考案は上記の点を鑑みなされたものであって、別々に製作し、別体であるブラジャーとキャミソール、カットソー、ワンピースなどの衣類と着用時に一体化させ、ブラジャーの位置の保持をキャミソール、カットソー、ワンピースなどの衣類のストラップをもって兼ねさせることができるようになし、もって従来のブラキャミ或いはキャミブラと称される衣類と同時にブラジャーのストラップがないことからこれが外見に見えず且つまたストラップの本数を減らすことができ、かつブラジャーは従来通りの規格であるから着用者に最適なものを選択することができ、したがって着用者において充分に満足することができるものであり、更にブラジャーとキャミソール、カットソー、ワンピース等の衣類は夫々別々に製作するものであるから、夫々好みのものを着用することができると共に両者の取り合わせのバリエーションを楽しむこともでき、ブラジャーとの一体化を解除した場合も、従来通りの着こなしが楽しめるというものであり、加えてブラジャーは、衣類の一体化を解除し、ストラップを取り付け単体で使用することもできるようになした女性用衣類を提供しようとするものである。
【課題を解決するための手段】
【０００９】  而して、本考案の要旨とするところは、ブラジャー本体に設けたフックをフック掛け止めループに掛け止めることによってストラップを取り付けるようになしたブラジャーと、ストラップで吊るし、肩を露出する形態の袖なし女性衣類とからなり、前記衣類におけるストラップを、その端部が前記ブラジャー本体のフックと対向する状態において、該ストラップの端部の縫い付け位置における衣類本体又はストラップの縫い付け位置より延長した部分の端部にフック掛け止めループを設け、該フック掛け止めループに、ストラップを外した状態のブラジャー本体のフックを掛け止め、もって着用時にこれらブラジャーと衣類とを一体化させることができるようになしたことを特徴とする女性用衣類である。【００１０】  また、上記構成において、衣類における衣類本体の脇の部分に、前記ブラジャー本体の脇布を挿通して保持するためのループを設けるようにしてもよい。このようになした場合には、着脱時のブラジャーの安定性が一層良好となる。【００１１】  また、上記構成における衣類は、キャミソール、カットソー、ワンピースのいずれかである。
【考案の効果】
【００１２】  本考案は上記の構成にあり、別々に製作し、別体であるブラジャーとキャミソール、カットソー、ワンピース等の衣類とを着用時に一体化させ、而もブラジャーの位置の保持をキャミソール、カットソー、ワンピース等の衣類のストラップをもって兼ねさせることができるようなしたものであるから、従来のブラキャミ或いはキャミブラと称される衣類と同様にブラジャーのストラップがないことからこれが外に見えず且つまたストラップの本数を減らすことができるものである。而もブラジャーは従来通りの規格であるから着用者の最適なものを選択することができ、したがって着用者において充分に満足できるものである。更にブラジャーとキャミソール、カットソー、ワンピース等の衣類は夫々別々に製作するものであるから、それぞれ好みのものを着用することができると共に両者の取り合わせのバリエーションを楽しむことも出来るものである。加えてブラジャーは、衣類との一体化を解除し、ストラップを取り付け単体で使用することもできるものであり、キャミソール、カットソー、ワンピースなどにおいても、一体化を解除し、従来通りの重ね着などの着こなしを楽しむことができるものである。
【考案を実施するための最良の形態】
【００１３】  以下、本考案に係る女性用衣類を実施するための最良の形態について、図面を参照して説明する。
図１は本応安の第１実施形態に係る女性用衣類の斜視図、図２は内部側から看た前部の一部拡大図、図３は内部側から看た後部の一部拡大図、図４は内部側から看た脇部分の一部拡大図である。【００１４】  図中、１はブラジャーであり、ブラジャー本体２に設けたフック３、３をフック掛け止めループに掛け止めることによってストラップを取り付けるようになしたものである。尚、図において前記両端にフック掛け止めループを設けたストラップは取り外してあるために示されていない。【００１５】  ４は衣類本体５をストラップ６、６に吊るし、肩を露出する形態の袖なしの女性用衣類、本実施形態ではキャミソールである。【００１６】  本考案はこれらブラジャー１とキャミソール４とを着用時に一体化させたものである。そして、前記キャミソール４におけるストラップ６，６を、図２及び図３に示す如く、その端部６ａ、６ｂが前記ブラジャー本体２のフック３，３と対向する状態においてキャミソール本体５に設けられたフック掛け止めループである。尚、７，７は縫い付け部を示す。そして、更に該ストラップ６，６の端部の縫いつけ位置におけるキャミソール本体５にフック掛け止めループ６ａ，６ｂ、６ａ，６ｂを設ける。ブラジャー本体２のフック３、３をフック掛け止めループ６ａ，６ｂに掛け止め、もって着用時に前記ブラジャー１とキャミソール４とを一体化させるものである。そしてまた、これにより前記キャミソール４のストラップ６、６は、フック掛け止めループ６ａ，６ｂ、６ａ，６ｂとフック３、３を介してブラジャー１に間接的に接続され、もって該ストラップ６，６がブラジャー本体１の位置の保持を兼ねるようになるものである。【００１７】  また、本実施形態では、図４に示す如く、キャミソール本体５の脇の部分に、ブラジャー本体２の脇布２ａを挿押して保持するためのループ８，８を設けている。【００１８】  また、本実施形態は、襟刳りの大きい、胸が大きく開いた衣類に適合する場合であり、胸の開きを少なくした、ブラジャー上縁部よりも衣類の胸の上縁部がかなり上部に位置するようになる場合に適用するものである。【００１９】  図５は本考案の第２実施形態を示すものであり、上記の如く胸の開きを少なくした、即ちブラジャーの上縁部よりも衣類の胸の上縁部がかなり上側に位置するようになる場合に適用するものである。【００２０】  而して、本実施形態においては、ストラップ６，６の縫い付け位置７、７より延長した６Ａ，６Ａの端部にフック掛け止めループ６ａを設けたものであり、そして該フック掛け止めループ６ａ，６ａにブラジャー本体２のフック３、３を掛け止めるものである。尚、延長した６Ａ，６Ａの長さＬは、胸の開き具合に応じて適宜に決定するものである。而して、本実施形態の場合には、キャミソール４のストラップ６、６は、フック掛け止めループ６ａとフック３、３を介してブラジャー１に直接的に接続され、もって該ストラップ６，６がブラジャー１の位置の保持を兼ねるようになるものである。また、その他の構成は前記代形態と同様であるから、同一の部材には同一の符号を付して詳細な説明は省略する。【００２１】また、本考案は、図示しないが、ブラジャー１のキャミソール４との一体化を解除し、図���しないストラップを取り付けてブラジャー単体で使用するようにしてもよいものである。
【図面の簡単な説明】
【００２２】
【図１】本考案の第１実施形態に係る女性用衣類の斜視図である。
【図２】内部側から看た前部の一部拡大図である。
【図３】内部側から看た後部の一部拡大図である。
【図４】内部側から看た脇部分の一部拡大図である。
【図５】本考案の第２実施形態に係る女性用衣類の内部から看た前部の一部拡大図である。
【符号の説明】
【００２３】１  ブラジャー
２  ブラジャー本体
３  フック
４  キャミソール
５  キャミソール本体
６  ストラップ
６Ａ  ストラップの延長部分
６ａ，６ｂ  フック掛け止めループ
７  縫い付け部
８  ループ
【図１】
0003143608.tif 000003
【図２】
0003143608.tif 000004
【図３】
0003143608.tif 000005
【図４】
0003143608.tif 000006
【図５】
0003143608.tif 000007